(57)【特許請求の範囲】
【請求項１】
既設管を更生する管更生部材が巻き付けられ、前記管更生部材を加熱する熱媒を放出するための空間を形成する熱媒放出部を備える巻付用ドラムであって、
前記管更生部材が巻き付けられる胴部、
前記胴部の両端部に設けられるフランジ、
前記胴部外周面との間に空間を形成するように当該胴部外周面を覆う、かつ分散配置される複数の孔を有するコア熱媒放出部、および
前記胴部外周面と前記コア熱媒放出部との間の空間内に熱媒を供給する熱媒ホースが接続されるコア接続部を備える、巻付用ドラム。
【請求項２】
前記コア熱媒放出部は、前記フランジに向かって拡径するテーパ状の外周面を有する、請求項１記載の巻付用ドラム。
【請求項３】
前記コア熱媒放出部は、前記胴部の外周面下部を覆い、
前記コア熱媒放出部の上端とその上側の前記フランジの内側面と間には、前記管更生部材の幅と略同じ大きさの間隔が設けられる、請求項１または２記載の巻付用ドラム。
【請求項４】
前記コア熱媒放出部は、上端に水平面部を有する、請求項３記載の巻付用ドラム。
【請求項５】
前記コア熱媒放出部の表面の少なくとも一部に設けられる、かつ通気性を有するコア保護シートを備える、請求項１ないし４のいずれかに記載の巻付用ドラム。
【請求項６】
既設管を更生する管更生部材が巻き付けられ、前記管更生部材を加熱する熱媒を放出するための空間を形成する熱媒放出部を備える巻付用ドラムであって、
前記管更生部材が巻き付けられる胴部、
前記胴部の両端部に設けられるフランジ、
前記フランジ内側面との間に空間を形成するように当該フランジ内側面を覆う、かつ分散配置される複数の孔を有する側面熱媒放出部、
前記フランジ内側面と前記側面熱媒放出部との間の空間内に熱媒を供給する熱媒ホースが接続される側面接続部を備える、巻付用ドラム。
【請求項７】
前記側面熱媒放出部の表面の少なくとも一部に設けられる、かつ通気性を有する側面保護シートを備える、請求項６記載の巻付用ドラム。
【請求項８】
既設管を更生する管更生部材を巻付用ドラムに巻き付けた状態で加熱する管更生部材の加熱方法であって、
前記巻付用ドラムの胴部外周面およびフランジ内側面の少なくとも一方と前記管更生部材との間に空間を形成する、かつ分散配置される複数の孔を有する熱媒放出部を前記巻付用ドラムに設け、
前記空間内に熱媒を供給して、前記複数の孔から放出される熱媒によって前記管更生部材を加熱する、管更生部材の加熱方法。
【発明の詳細な説明】
【技術分野】
【０００１】
この発明は巻付用ドラムおよび管更生部材の加熱方法に関し、特にたとえば、既設管を更生する管更生部材が巻き付けられる、巻付用ドラムおよび管更生部材の加熱方法に関する。
【背景技術】
【０００２】
従来、既設管の更生方法として、屈曲変形して縮径させた合成樹脂製の管更生部材を既設管内に挿入した後、加熱及び内圧をかけることによって管更生部材を円筒状に拡径復元させて、既設管内面に内張りする方法が知られている。
【０００３】
このような更生方法に用いられる管更生部材は、特許文献１に開示されるような巻付用ドラムに対して縮径状態で巻き付けられて施工現場に搬送される。巻付用ドラムから管更生部材を引き出して既設管内に挿入する際には、巻付用ドラムごとウォーマ（保温ケーシング）内に収容する。そして、ウォーマ内に蒸気を送り込んだり、管更生部材の内部に蒸気を通したりすることによって、管更生部材を加熱軟化させて曲げ易くして、既設管内への挿入抵抗を低減させるようにしている。
【特許文献１】特許第４１９５３５６号公報  [Ｂ２９Ｃ  ６３／３４]
【発明の概要】
【発明が解決しようとする課題】
【０００４】
しかしながら、特許文献１に示すような従来の巻付用ドラムに巻き付けた状態で管更生部材を加熱すると、巻き付け中心部などに蒸気の行き渡り難い部分が生じてしまう。つまり、従来の巻付用ドラムでは、管更生部材の全体を均一に加熱することが困難であり、加熱ムラが生じ易い。加熱した管更生部材の温度にばらつきがあると、既設管内への挿入時に挿入力が変化し、管更生部材にかかる応力が変動するので、施工後の管厚にばらつきが生じ易くなり、更生管路の品質に悪影響を及ぼす恐れがある。
【０００５】
一方、管更生部材の全体を確実に加熱軟化させるためには、長時間の加熱を行うことが考えられる。しかしながら、加熱時間が長くなると、燃料費が余計に必要になる上、施工時間も長くなり、道路の封鎖等の周辺環境への影響も大きくなってしまう。
【０００６】
それゆえに、この発明の主たる目的は、新規な、巻付用ドラムおよび管更生部材の加熱方法を提供することである。
【０００７】
この発明の他の目的は、管更生部材を短時間で均一に加熱軟化させることができる、巻付用ドラムおよび管更生部材の加熱方法を提供することである。
【課題を解決するための手段】
【０００８】
この発明は、上記の課題を解決するために、以下の構成を採用した。なお、括弧内の参照符号および補足説明などは、本発明の理解を助けるために後述する実施の形態との対応関係を示したものであって、この発明を何ら限定するものではない。
【０００９】
第１の発明は、既設管を更生する管更生部材が巻き付けられ、管更生部材を加熱する熱媒を放出するための空間を形成する熱媒放出部を備える巻付用ドラムであって、管更生部材が巻き付けられる胴部、胴部の両端部に設けられるフランジ、胴部外周面との間に空間を形成するように当該胴部外周面を覆うかつ分散配置される複数の孔を有するコア熱媒放出部、および胴部外周面とコア熱媒放出部との間の空間内に熱媒を供給する熱媒ホースが接続されるコア接続部を備える、巻付用ドラムである。
【００１０】
第１の発明では、巻付用ドラム（１０）は、老朽化した既設管（１００）を内側から補修するための管更生部材（１０２）が巻き付けられるドラムである。巻付用ドラムは、胴部（２０）およびその両端部に設けられるフランジ（２２）を含む。胴部には、分散配置される複数の孔（３０）を有するコア熱媒放出部（１４）が設けられる。コア熱媒放出部は、胴部外周面との間に空間（２８）を形成するように、胴部外周面の一部または全体を覆う。つまり、コア熱媒放出部を設けることによって、巻付用ドラムに管更生部材を巻き付けた際には、胴部外周面と管更生部材との間に周方向などに連通する空間（熱媒流路）が確実に形成される。また、たとえば胴部には、コア接続部（６０）が設けられる。コア接続部には、胴部外周面とコア熱媒放出部との間の空間内に熱媒を供給する熱媒ホース（６２）が接続される。
【００１１】
巻付用ドラムから管更生部材を引き出して既設管内に挿入する際には、熱媒ホースから胴部外周面と管更生部材との間の空間（コア熱媒放出部内の空間）に蒸気や熱風などの熱媒が供給される。供給された熱媒は、その空間内を移動して各孔から外部（管更生部材の巻き付け中心部など）に放出され、管更生部材を加熱する。
【００１２】
第１の発明によれば、胴部外周面にコア熱媒放出部を設け、胴部外周面と管更生部材との間に空間（熱媒流路）を形成するようにしたので、管更生部材の巻き付け中心部に対しても、適切に熱媒を行き渡らせることができる。したがって、管更生部材を全長に亘って均一にかつ短時間で加熱軟化させることができる。
【００１３】
第２の発明は、第１の発明に従属し、コア熱媒放出部は、フランジに向かって拡径するテーパ状の外周面を有する。
【００１４】
第２の発明では、コア熱媒放出部（１４）は、フランジ（２２）に向かって拡径するテーパ状の外周面を有する。たとえば、コア熱媒放出部の外周面のテーパ角度は、管更生部材（１０２）を巻き付けた際に胴部（２０）下部の周囲に形成される断面略直角三角形状の閉空間を保持できるように、その閉空間の傾斜面に沿うテーパ角度に設定され、コア熱媒放出部は、その閉空間において管更生部材を下側から支持する。
【００１５】
第２の発明によれば、コア熱媒放出部が管更生部材を下側から支持するので、搬送中や加熱中の管更生部材の巻き崩れを防止でき、熱媒流路となる空間を確実に保持できる。
【００１６】
第３の発明は、第１または第２の発明に従属し、コア熱媒放出部は、胴部の外周面下部を覆い、コア熱媒放出部の上端とその上側のフランジの内側面と間には、管更生部材の幅と略同じ大きさの間隔が設けられる。
【００１７】
第３の発明では、コア熱媒放出部（１４）は、胴部（２０）の外周面下部を覆うように設けられる。そして、コア熱媒放出部の上端（１４ａ）と上側のフランジ（２２）の内側面との間には、管更生部材（１０２）の幅と略同じ大きさの間隔が設けられる。これにより、コア熱媒放出部と上側のフランジとの間に管更生部材を嵌め込むようにして、胴部に管更生部材を一巻きすることができるので、搬送中や加熱中の管更生部材の巻き崩れがより生じ難くなる。
【００１８】
第４の発明は、第３の発明に従属し、コア熱媒放出部は、上端に水平面部を有する。
【００１９】
第４の発明では、コア熱媒放出部（１４）の上端（１４ａ）には、水平面部が形成される。これにより、コア熱媒放出部の上端が管更生部材（１０２）の一巻き目を下側から水平に支持できるので、搬送中や加熱中の管更生部材の巻き崩れがより生じ難くなる。
【００２０】
第５の発明は、第１ないし第４のいずれかの発明に従属し、コア熱媒放出部の表面の少なくとも一部に設けられる、かつ通気性を有するコア保護シートを備える。
【００２１】
第５の発明では、コア熱媒放出部（１４）の表面の少なくとも一部には、不織布などの通気性を有するコア保護シートが設けられる。これによって、コア熱放出部との接触による管更生部材（１０２）の傷や窪みを防止でき、施工時に管更生部材が割れてしまう等の事故を防止できる。
【００２２】
第６の発明は、既設管を更生する管更生部材が巻き付けられ、管更生部材を加熱する熱媒を放出するための空間を形成する熱媒放出部を備える巻付用ドラムであって、管更生部材が巻き付けられる胴部、胴部の両端部に設けられるフランジ、フランジ内側面との間に空間を形成するように当該フランジ内側面を覆うかつ分散配置される複数の孔を有する側面熱媒放出部、フランジ内側面と側面熱媒放出部との間の空間内に熱媒を供給する熱媒ホースが接続される側面接続部を備える、巻付用ドラムである。
【００２３】
第６の発明では、巻付用ドラム（１０）は、老朽化した既設管（１００）を内側から補修するための管更生部材（１０２）が巻き付けられるドラムである。巻付用ドラムは、胴部（２０）およびその両端部に設けられるフランジ（２２）を含む。フランジの少なくとも一方には、分散配置される複数の孔（４６）を有する側面熱媒放出部（１６）が設けられる。側面熱媒放出部は、フランジ内側面との間に空間（４４）を形成するように、フランジ内側面の一部または全体を覆う。つまり、側面熱媒放出部を設けることによって、巻付用ドラムに管更生部材を巻き付けた際には、フランジ内側面と管更生部材との間に径方向などに連通する空間（熱媒流路）が確実に形成される。また、たとえばフランジには、側面接続部（６４）が設けられる。側面接続部には、フランジ内側面と側面熱媒放出部との間の空間内に熱媒を供給する熱媒ホース（６６）が接続される。
【００２４】
巻付用ドラムから管更生部材を引き出して既設管内に挿入する際には、熱媒ホースからフランジ内側面と管更生部材との間の空間（側面熱媒放出部内の空間）に蒸気や熱風などの熱媒が供給される。供給された熱媒は、その空間内を移動して各孔から外部（管更生部材の巻き付け中心部や巻き付けの折り返し部分）に放出され、管更生部材を加熱する。
【００２５】
第６の発明によれば、フランジ内側面に側面熱媒放出部を設け、フランジ内側面と管更生部材との間に空間（熱媒流路）を形成するようにしたので、管更生部材の巻き付け中心部や巻き付けの折り返しによる閉空間に対しても、適切に熱媒を行き渡らせることができる。したがって、管更生部材を全長に亘って均一にかつ短時間で加熱軟化させることができる。
【００２６】
第７の発明は、第６の発明に従属し、側面熱媒放出部の表面の少なくとも一部に設けられる、かつ通気性を有する側面保護シートを備える。
【００２７】
第７の発明では、側面熱媒放出部（１６）の表面の少なくとも一部には、不織布などの通気性を有する側面保護シートが設けられる。これによって、側面熱放出部との接触による管更生部材（１０２）の傷や窪みを防止でき、施工時に管更生部材が割れてしまう等の事故を防止できる。
【００２８】
第８の発明は、既設管を更生する管更生部材を巻付用ドラムに巻き付けた状態で加熱する管更生部材の加熱方法であって、巻付用ドラムの胴部外周面およびフランジ内側面の少なくとも一方と管更生部材との間に空間を形成する、かつ分散配置される複数の孔を有する熱媒放出部を巻付用ドラムに設け、空間内に熱媒を供給して、複数の孔から放出される熱媒によって管更生部材を加熱する、管更生部材の加熱方法である。
【００２９】
第８の発明では、老朽化した既設管（１００）を内側から補修するための管更生部材（１０２）を巻付用ドラム（１０）から引き出す際に、管更生部材を巻付用ドラムに巻き付けた状態で加熱軟化させる。この方法では、熱媒放出部（１４，１６）を巻付用ドラムの胴部（２０）外周面およびフランジ（２２）内周面の少なくとも一方に設けておく。熱媒放出部は、分散配置される複数の孔（３０，４６）を有し、胴部外周面およびフランジ内側面の少なくとも一方と管更生部材との間に周方向および径方向などに連通する空間（２８，４４）を形成するものである。そして、管更生部材の加熱時には、熱媒放出部によって形成される空間内に蒸気や熱風などの熱媒を供給し、その空間内を移動して各孔から外部（管更生部材の巻き付け中心部や巻き付けの折り返し部分など）に放出される熱媒によって管更生部材を加熱する。
【００３０】
第８の発明によれば、熱媒の行き渡り難い管更生部材の巻き付け中心部の閉空間や巻き付けの折り返しによる閉空間などに対しても、適切に熱媒を行き渡らせることができる。したがって、管更生部材を全長に亘って均一にかつ短時間で加熱軟化させることができる。
【発明の効果】
【００３１】
第１の発明によれば、胴部外周面にコア熱媒放出部を設け、胴部外周面と管更生部材との間に空間（熱媒流路）を形成するようにしたので、熱媒の行き渡り難い管更生部材の巻き付け中心部の閉空間に対しても、適切に熱媒を行き渡らせることができる。したがって、管更生部材を全長に亘って均一にかつ短時間で加熱軟化させることができる。
【００３２】
第６の発明によれば、フランジ内側面に側面熱媒放出部を設け、フランジ内側面と管更生部材との間に空間（熱媒流路）を形成するようにしたので、熱媒の行き渡り難い管更生部材の巻き付け中心部の閉空間や巻き付けの折り返しによる閉空間に対しても、適切に熱媒を行き渡らせることができる。したがって、管更生部材を全長に亘って均一にかつ短時間で加熱軟化させることができる。
【００３３】
この発明の上述の目的、その他の目的、特徴および利点は、図面を参照して行う後述の実施例の詳細な説明から一層明らかとなろう。
【図面の簡単な説明】
【００３４】
【図１】この発明の一実施例である巻付用ドラムの外観を示す側面図である。
【図２】管更生部材の巻き付け態様の一例を示す断面図である。
【図３】図１の巻付用ドラムが備えるドラム本体の外観を示す側面図である。
【図４】図１の巻付用ドラムが備えるコア熱媒放出部の外観を示す平面図である。
【図５】図４のコア熱媒放出部を構成するコア分割体の外観を示す平面図である。
【図６】図４のコア熱媒放出部を構成するコア分割体を内面側から見た様子を示す図解図である。
【図７】図４のコア熱媒放出部を構成するコア分割体を示す断面図であって、（Ａ）は図５のVII(Ａ)-VII(Ａ)線で切断した断面を示し、（Ｂ）は図５のVII(Ｂ)-VII(Ｂ)線で切断した断面を示す。
【図８】図１の巻付用ドラムが備える側面熱媒放出部の外観を示す平面図である。
【図９】図８の側面熱媒放出部を構成する側面分割体の外観を示す平面図である。
【図１０】図８のコア熱媒放出部を構成する側面分割体を内面側から見た様子を示す図解図である。
【図１１】図８のコア熱媒放出部を構成するコア分割体を示す断面図であって、（Ａ）は図１０のXI(Ａ)-XI(Ａ)線で切断した断面を示し、（Ｂ）は図１０のXI(Ｂ)-XI(Ｂ)線で切断した断面を示す。
【図１２】図１の巻付用ドラムを示す部分拡大断面図である。
【図１３】図１の巻付用ドラムに管更生部材を巻き付けた様子を示す図解図である。
【図１４】図１の巻付用ドラムに巻き付けられた管更生部材を用いて既設管を更生する様子を示す図解図である。
【図１５】この発明の他の実施例である巻付用ドラムを示す図解図である。
【図１６】この発明のさらに他の実施例である巻付用ドラムを示す図解図である。
【図１７】この発明のさらに他の実施例である巻付用ドラムを示す図解図である。
【発明を実施するための形態】
【００３５】
図１を参照して、この発明の一実施例である巻付用ドラム１０は、老朽化した既設管１００を内側から補修するための管更生部材１０２が巻き付けられるドラムである。詳細は後述するように、巻付用ドラム１０は、胴部２０およびフランジ２２を備えるドラム本体１２に対して、コア熱媒放出部１４および側面熱媒放出部１６を設けた基本構成を有しており、管更生部材１０２を巻き付けた状態で、効率的に管更生部材１０２を加熱軟化させることを可能としたドラムである。
【００３６】
先ず、巻付用ドラム１０の具体的な説明に先立って、この巻付用ドラム１０に巻き付けられる管更生部材１０２について説明する。管更生部材１０２は、硬質塩化ビニルおよびポリエチレン等の合成樹脂によって形成される長尺管であり、図２に示すように、ドラムに対して縮径状態で渦巻き状（ロール状）に巻き取られて搬送等される。具体的には、管更生部材１０２は、平板状部１０４とその両端に形成される楕円筒状部１０６とを有する、断面略瓢箪形の縮径形状とされてドラムに巻き付けられる。管更生部材１０２をドラムに巻き付けるときには、たとえばドラム上部から巻き始め、外側に巻き重ねる際に楕円筒状部１０６の長さ分だけ下にずらすようにして、螺旋状に巻き付けていく。そして、管更生部材１０２がドラム下部まで達すると、折り返して、螺旋状に上にずらすようにして巻き付けていき、以下同様にして、所定長さの管更生部材１０２をドラムに巻き付ける。
【００３７】
管更生部材１０２は、公知の製造方法によって製造することができる。管更生部材１０２を製造する際には、先ず、所定の径で直管を押出成形する。そして、軟化点以上融点以下の範囲における所定の温度（たとえば硬質塩化ビニル製の管更生部材１０２では、１００℃程度）にその直管を加熱した状態で、押し板やローラ等を用いて偏平させる等の縮径加工を施し、断面略瓢箪形の縮径形状にする。これにより、縮径形状とされた管更生部材１０２は、再び軟化点以上融点以下の温度に加熱し加圧することによって、円筒形等の元の形状に復元するようになる。なお、管更生部材１０２は、復元したときの外径が既設管１００の内径と略等しいサイズとなるように設定される。更生する既設管１００の内径は、たとえば１００−７００ｍｍである。
【００３８】
なお、管更生部材１０２は、種々の用途および構成材料の既設管１００の更生に適用し得る。たとえば、ガス管、上下水道管およびケーブル保護管等の更生に適用することができ、更生する管路の材質も、鉄筋コンクリート製、鋳鉄製、鋼製および合成樹脂製などのいずれであってもよい。
【００３９】
続いて、この発明の一実施例である巻付用ドラム１０について具体的に説明する。上述のように、巻付用ドラム１０は、ドラム本体１２、コア熱媒放出部１４および側面熱媒放出部１６を備える。
【００４０】
図３に示すように、ドラム本体１２は、胴部２０およびフランジ２２を含み、ステンレス鋼などの金属によって形成される。胴部２０は、内筒２４および外筒２６を備える２重筒構造を有しており、その外周面に管更生部材１０２が渦巻き状に巻き付けられる（図１２参照）。フランジ２２は、胴部２０の両端部に設けられ、胴部２０の外周面から径方向外側に鍔状に突出する。胴部２０の外径は、たとえば９００ｍｍであり、フランジ２２の外径は、たとえば２４００ｍｍである。また、フランジ２２の内側面間の距離（胴部２０の軸方向長さ）は、たとえば１３００ｍｍである。
【００４１】
図１に戻って、胴部２０の外周面には、ステンレス鋼などの金属によって形成されるコア熱媒放出部１４が設けられる。コア熱媒放出部１４は、胴部２０の外周面を覆うように設けられ、コア熱媒放出部１４（具体的には後述する外筒部３４）と胴部２０外周面との間には、主として周方向に連通する空間（熱媒流路）２８が形成される（図１２参照）。また、コア熱媒放出部１４には、複数の孔３０が分散して形成されており、詳細は後述するように、コア熱媒放出部１４内の空間２８に供給された蒸気や熱風（乾燥気体）などの熱媒は、空間２８内を移動して各孔３０から外部に放出される。各孔３０の内径は、たとえば５０ｍｍであり、隣り合う孔３０同士の距離は、たとえば５０ｍｍである。
【００４２】
なお、図１等では、各孔３０を六角孔としているが、各孔３０の形状は、丸孔、長丸孔、角孔、およびスリット孔など任意に設定できる。また、各孔３０の配置態様も適宜変更できる。これらは、後述する側面熱媒放出部１６の各孔４６についても同様である。
【００４３】
図１および図４に示すように、この実施例では、コア熱媒放出部１４は、胴部２０の下半部を覆い、コア熱媒放出部１４の上端１４ａと上側のフランジ２２の内側面と間には、管更生部材１０２の幅と略同じ大きさの間隔が設けられる。また、コア熱媒放出部１４は、下側のフランジ２２に向かって拡径するテーパ状に形成され、その上端１４ａには水平面部を有する。コア熱媒放出部１４の外周面のテーパ角度は、管更生部材１０２の巻き姿に応じて設定される。すなわち、管更生部材１０２を巻き付けた際に胴部２０下部の周囲に形成される断面略直角三角形状の閉空間を保持できる（つまり管更生部材１０２の巻き姿を保持できる）ように、閉空間の傾斜面に沿うテーパ角度に設定され、コア熱媒放出部１４は、その閉空間において管更生部材１０２を下側から支持する（図１３参照）。
【００４４】
また、この実施例では、コア熱媒放出部１４は、４つのコア分割体３２からなる。図５−図７を参照して、コア分割体３２のそれぞれは、複数の孔３０を有する湾曲板状の外筒部３４と外筒部３４を裏面側から保持する骨格部３６とを備える。外筒部３４は、パンチングメタル等を用いて形成され、骨格部３６は、等辺山形鋼を溶接する等して形成される。具体的には、骨格部３６は、直角三角形の枠状に形成されて、胴部２０の周方向に並べて配置される３つの支持部３６ａを含み、各支持部３６ａは、その頂点を結ぶように周方向に湾曲して延びる３つの連結部３６ｂによって一体化されている。外筒部３４は、各支持部３６ａの傾斜辺を結ぶように設けられる。
【００４５】
また、コア分割体３２の周方向一方端に位置する支持部３６ａには、ナット３８が固定的に設けられる。一方、コア分割体３２の周方向他端に位置する支持部３６ａには、ボルト孔４０が形成され、外筒部３４には、ボルト孔４０に対応する位置に開口４２が形成される。これにより、ボルトを外筒部３４の表面側から取り付けることが可能となり、また、ナット３８やボルトを外筒部３４の表面側（更生管部材１０２側）に突出させることなく、コア分割体３２同士を連結することができる。
【００４６】
コア熱媒放出部１４をドラム本体１２の胴部２０に取り付ける際には、４つのコア分割体３２を胴部２０に抱き付かせるように配置する。そして、隣り合うコア分割体３２同士をナット３８およびボルトを用いて連結することによって、コア熱媒放出部１４を胴部２０に固定するとよい。このように、コア熱媒放出部１４を分割形状とすることによって、既存のドラムに対するコア熱媒放出部１４の後付けが可能となる。つまり、コア熱媒放出部１４をドラム取付部材（コア熱媒放出部材）として単独で製造し、既存のドラムに取り付けることよって巻付用ドラム１０を製造することができるようになる。分割形状とする効果は、後述する側面熱媒放出部１６についても同様である。なお、コア熱媒放出部１４や側面熱媒放出部１６の分割数は、特に限定されず、たとえば２つの分割体によってコア熱媒放出部１４や側面熱媒放出部１６を形成してもよい。
【００４７】
図１に戻って、フランジ２２の内側面のそれぞれには、ステンレス鋼などの金属によって形成される側面熱媒放出部１６が設けられる。側面熱媒放出部１６は、フランジ２２の内側面を覆うように設けられ、側面熱媒放出部１６（具体的には後述する側板部５０）とフランジ２２の内側面との間には、主として径方向に連通する空間（熱媒流路）４４が形成される（図１２参照）。また、側面熱媒放出部１６には、複数の孔４６が分散して形成されており、詳細は後述するように、側面熱媒放出部１６内の空間４４に供給された蒸気などの熱媒は、空間４４内を移動して各孔４６から外部に放出される。各孔４６の内径は、たとえば５０ｍｍであり、隣り合う孔４６同士の距離は、たとえば５０ｍｍである。
【００４８】
図８に示すように、この実施例では、側面熱媒放出部１６は、４つの側面分割体４８からなる。図９−図１１を参照して、側面分割体４８のそれぞれは、複数の孔４６を有する扇板状の側板部５０と、扇形の枠状に形成される骨格部５２とを備える。側板部５０は、パンチングメタル等を用いて形成される。骨格部５２は、等辺山形鋼を溶接する等して形成され、側板部５０を裏面側（フランジ２２側）から支持して、側板部５０とフランジ２２内側面との間の空間４４を保持する。
【００４９】
また、側板部５０の裏面側には、フランジ２２内側面への側面分割体４８の固定に用いられる固定部５４が設けられる。固定部５４は、等辺山形鋼などを用いて形成され、側板部５０と対向する位置にその１辺がくるように設けられる（図１１(Ｂ)参照）。側板部５０と対向する固定部５４の１辺には、ボルト孔５６が形成され、側板部５０には、ボルト孔５６に対応する位置に開口５８が形成される。また、フランジ２２にもボルト孔５６に対応する位置に孔（図示せず）が形成される。側面熱媒放出部１６をフランジ２２内側面に取り付ける際には、４つの側面分割体４８が周方向に並べられて固定される。各側面分割体４８は、側板部５０の開口５８から挿入したボルトとフランジ２２外側面に配置したナットとを締結することによって固定される。これにより、ボルトやナットを側板部５０の表面側（更生管部材１０２側）に突出させることなく、側面熱媒放出部１６をフランジ２２内側面に固定できる。
【００５０】
なお、側面分割体４８の骨格部５２および固定部５４には、周方向に連通する開口（図示せず）を適宜形成しておくとよい。これは、側面熱媒放出部１６内における熱媒の周方向への移動を行い易くするためである。ただし、熱媒は、側板部５０の複数の孔４６を介して自由に出入りでき、側面熱媒放出部１６の外部に迂回すること等によって周方向全体に移動することが可能であるので、周方向に連通する開口は、必ずしも側面分割体４８の骨格部５２および固定部５４に形成される必要はない。
【００５１】
また、図示は省略するが、コア熱媒放出部１４および側面熱媒放出部１６の表面の全体または一部には、不織布および織布などの通気性を有する保護シートが貼り付けられる。コア熱媒放出部１４および側面熱媒放出部１６の孔３０，４６と加熱された管更生部材１０２とが接触すると、管更生部材１０２の表面に傷や窪みが付く恐れがある。しかし、保護シートを取り付けることによって、管更生部材１０２の傷や窪みを防止でき、施工時に管更生部材１０２が割れてしまう等の事故を防止できる。
【００５２】
また、図３および図１２に示すように、胴部２０の外筒２６には、コア熱媒放出部１４内の空間２８と連通するコア接続部６０が設けられる。このコア接続部６０には、コア熱媒放出部１４内の空間２８に蒸気や熱風（乾燥気体）などの熱媒を供給するための熱媒ホース６２が接続される。また、上側のフランジ２２には、上側の側面熱媒放出部１６内の空間４４と連通する側面接続部６４が設けられる。この側面接続部６４には、上側の側面熱媒放出部１６内の空間４４に熱媒を供給するための熱媒ホース６６が接続される。なお、下側の側面熱媒放出部１６内の空間４４は、コア熱媒放出部１４内の空間２８と連通しているので、コア接続部６０を介して供給された熱媒が、下側の側面熱媒放出部１６内の空間４４にも供給される。つまり、コア接続部６０が、下側の側面熱媒放出部１６内の空間４４に熱媒を供給するための熱媒ホースが接続される側面接続部としても機能する。
【００５３】
コア接続部６０および側面接続部６４としては、カプラやネジ継手などを用いるとよい。ただし、各接続部６０，６４は、単なる開口にしておき、適宜の取付具を用いて熱媒ホース６２，６６をその開口に接続するようにしてもよい。なお、上述のように、コア熱媒放出部１４内と側面熱媒放出部１６内とが連通している場合には、コア接続部６０および側面接続部６４を共用とすることもできる。また、１つのコア熱媒放出部１４または側面熱媒放出部１６に対して、複数の接続部６０，６４を設けて、複数箇所から熱媒を供給することもできる。さらに、フランジ２２にコア接続部６０を設けることもできるし、胴部２０に側面接続部６４を設けることもできる。もちろん、コア熱媒放出部１４および側面熱媒放出部１６自体に各接続部６０，６４を設けることもできる。
【００５４】
このような巻付用ドラム１０には、図１３に示すように、縮径状態の管更生部材１０２が渦巻き状に巻き付けられる。この際、コア熱媒放出部１４がテーパ状の外周面を有し、管更生部材１０２を下側から支持するので、搬送中や加熱中の管更生部材１０２の巻き崩れが防止され、熱媒流路となる空間２８を確実に保持できる。また、コア熱媒放出部１４の上端１４ａと上側のフランジ２２の内側面と間には、管更生部材１０２の幅と略同じ大きさの間隔が設けられるので、コア熱媒放出部１４と上側のフランジ２２との間に管更生部材１０２を嵌め込むようにして、胴部２０の外周面に管更生部材１０２を一巻きすることができる上、コア熱媒放出部１４の上端１４ａの水平面部が管更生部材１０２の一巻き目を下側から水平に支持することができる。これにより、搬送中や加熱中の管更生部材１０２の巻き崩れがより生じ難くなる。
【００５５】
管更生部材１０２は、巻付用ドラム１０に巻き付けられた状態で施工現場に搬送され、既設管１００の更生に用いられる。以下、図１４を参照して、巻付用ドラム１０に巻き付けられた管更生部材１０２を使用して、老朽化した既設管１００を更生する工法について説明する。
【００５６】
既設管１００を更生する際には、先ず、既設管１００の更生区間内の滞留物等を除去洗浄する。また、始点の立坑１０８側には、熱媒発生装置１１０および保温ケーシング（ウォーマ）１１２を設置し、保温ケーシング１１２の内部には、管更生部材１０２が巻き付けられた巻付用ドラム１０を収容する。この際、巻付用ドラム１０は、回転台座１１４上に戴置した状態とされ、回転台座１１４に立設される回転軸部は、胴部２０の内筒２４に挿通される。また、終点の立坑１１６側には、牽引ワイヤ１１８を巻き取るためのウインチ１２０を配置する。なお、熱媒発生装置１１０、保温ケーシング１１２および回転台座１１４などに関しては、公知技術を適用できるので、説明は省略する。
【００５７】
次に、保温ケーシング１１２内で管更生部材１０２を加熱軟化させる。管更生部材１０２を加熱軟化させる際には、先ず、回転台座１１４を作動させて、巻付用ドラム１０を回転させる。続いて、熱媒発生装置１１０を作動させて、蒸気や熱風などの熱媒を保温ケーシング１１２内に放出して保温ケーシング１１２内全体を温め、管更生部材１０２を外部から加熱すると共に、管更生部材１０２の管端に接続した熱媒ホースから管更生部材１０２内に熱媒を放出し、管更生部材１０２を内部から加熱する。
【００５８】
さらに、この実施例では、コア接続部６０に接続した熱媒ホース６２からコア熱媒放出部１４内の空間２８に熱媒を供給すると共に、側面接続部６４に接続した熱媒ホース６６から側面熱媒放出部１６内の空間４４に熱媒を供給する。空間２８，４４内に供給された熱媒は、この空間２８，４４内を自由に移動してコア熱媒放出部１４および側面熱媒放出部１６の各孔３０，４６から放出され、管更生部材１０２を外部から加熱する。つまり、巻付用ドラム１０を用いると、管更生部材１０２の巻き付け中心部の略直角三角形状の閉空間や、巻き付けの折り返しにより形成される略二等辺三角形状の閉空間などの熱媒の行き渡り難い部分に対して、熱媒を行き渡らせることができ、管更生部材１０２を均一にかつ短時間で加熱することができる。
【００５９】
なお、熱媒ホース６２，６６をコア接続部６０や側面接続部６４に接続しつつ、巻付用ドラム１０を回転させるには、公知のスイベル等の部材を利用するとよい。たとえば、コア熱媒放出部１４内および側面熱媒放出部１６内の空間２８，４４に熱媒を供給する熱媒ホース６２，６６は、管更生部材１０２内に熱媒を供給する熱媒ホースから分岐されて、コア接続部６０および側面接続部６４に接続される。
【００６０】
管更生部材１０２が十分に加熱軟化されると、続いて、管更生部材１０２を巻付用ドラム１０から引き出して既設管１００内に挿入する。この際には、終点の立坑１１６側から既設管１００内に牽引ワイヤ１１８を挿通し、その牽引ワイヤ１１８を管更生部材１０２の先端に接続する。その後、牽引ワイヤ１１８をウインチ１２０で巻き取ることにより、管更生部材１０２を既設管１００内に引き込む。
【００６１】
管更生部材１０２の先端が立坑１１６に到達すると、管更生部材１０２の両端を切断して、そこに拡径用金具等を取り付け、管更生部材１０２の管端を封止する。そして、蒸気発生装置を用いて管更生部材１０２内に蒸気を供給し、管更生部材１０２を加熱すると共に内圧をかける。すると、管更生部材１０２は、断面形状が真円形状または略真円形状に拡径復元されて、管更生部材１０２の外周面全体が既設管１００の内周面全体に略密着される。その後、内圧を保持した状態で、冷却ノズル等から管更生部材１０２内に冷却空気を供給して、管更生部材１０２を冷却する。冷却後、管更生部材１０２内から圧力空気を排出し、適宜、後処理を実行することによって、管更生部材１０２を用いた既設管１００の補修が完了する。
【００６２】
この実施例によれば、ドラム本体１２にコア熱媒放出部１４および側面熱媒放出部１６を設け、胴部２０外周面およびフランジ２２内側面と管更生部材１０２との間に空間（熱媒流路）２８，４４を形成するようにしたので、管更生部材１０２の巻き付け中心部の略直角三角形状の閉空間や、巻き付けの折り返しにより形成される略二等辺三角形状の閉空間などの熱媒の行き渡り難い部分に対して、熱媒を適切に行き渡らせることができる。したがって、管更生部材１０２を全長に亘って均一にかつ短時間で加熱することができ、施工時間の短縮化、省エネルギ化、施工費の低減化、および施工品質の安定化など、様々な効果を発揮できる。
【００６３】
また、コア熱媒放出部１４がテーパ状の外周面を有し、管更生部材１０２を下側から支持するので、搬送中や加熱中の管更生部材１０２の巻き崩れを防止でき、熱媒流路となる空間２８を確実に保持できる。
【００６４】
なお、上述の実施例では、ドラム本体１２、コア熱媒放出部１４および側面熱媒放出部１６などの巻付用ドラム１０を構成する部材をステンレス鋼などの金属によって形成したが、管更生部材１０２を保持できる強度および熱耐性などの一定性能を有していれば、巻付用ドラム１０を構成する部材の材質は特に問わない。
【００６５】
また、上述の実施例では、コア熱媒放出部１４および側面熱媒放出部１６から熱媒を放出すると共に、保温ケーシング１１２内の全体を加熱し、かつ管更生部材１０２内に熱媒を放出して管更生部材１０２を内部からも加熱するようにした。しかし、巻付用ドラム１０を用いることによって管更生部材１０２の全体を効率よく均一に加熱できるので、保温ケーシング１１２内全体の加熱および管更生部材１０２内部の加熱の一方または双方を省略することもできる。
【００６６】
また、上述の実施例では、コア熱媒放出部１４および側面熱媒放出部１６の双方を備えるようにしたが、コア熱媒放出部１４および側面熱媒放出部１６のいずれか一方のみを備えるようにしてもよい。また、必ずしもフランジ２２のそれぞれに側面熱媒放出部１６を設ける必要はなく、上側または下側のフランジ２２の一方にのみ、側面熱媒放出部１６を設けることもできる。
【００６７】
さらに、ドラム本体１２と管更生部材１０２との間に空間（熱媒流路）を形成できれば、コア熱媒放出部１４および側面熱媒放出部１６の形状は、適宜変更可能である。たとえば、コア熱媒放出部１４をテーパ状に形成するのではなく、図１５に示す巻付用ドラム１０のように、コア熱媒放出部１４を直管状に形成することもできる。また、胴部２０外周面の下半部のみを覆うようにコア熱媒放出部１４を形成するのではなく、図１６に示す巻付用ドラム１０のように、胴部２０外周面の全体を覆うようにコア熱媒放出部１４を形成することもできる。この場合、コア熱媒放出部１４の上半部を直管状とし、下半部をテーパ状としてもよい。
【００６８】
また、たとえば、コア熱媒放出部１４をテーパ状に形成する代わりに、図１７に示す巻付用ドラム１０のように、コア熱媒放出部１４を階段状に形成することもできる。これによって、より確実に管更生部材１０の崩れを防止できる。
【００６９】
また、上述の実施例では、巻付用ドラム１０から管更生部材１０２を引き出す際に、巻付用ドラム１０を横方向に回転させるように設置しているが、縦方向に回転させるように設置してもよい。
【００７０】
また、巻付用ドラム１０に巻き付けられる管更生部材１０２の縮径形状および巻き姿は、特に限定されない。たとえば、折り畳み加工により折り畳まれた縮径形状であってもよいし、周方向の一部が押し込まれた断面略ハート形状を有する縮径形状であってもよい。
【００７１】
さらに、上で挙げた寸法などの具体的数値はいずれも単なる一例であり、製品の仕様などの必要に応じて適宜変更可能である。
【符号の説明】
【００７２】
１０  …巻付用ドラム
１２  …ドラム本体
１４  …コア熱媒放出部
１６  …側面熱媒放出部
２０  …胴部
２２  …フランジ
２８，４４  …空間（熱媒流路）
３０，４６  …孔
６０  …コア接続部
６２，６６  …熱媒ホース
６４  …側面接続部
１００  …既設管
１０２  …管更生部材
１１０  …熱媒発生装置
１１２  …保温ケーシング
【図１】
0005770668.tif 000002
【図２】
0005770668.tif 000003
【図３】
0005770668.tif 000004
【図４】
0005770668.tif 000005
【図５】
0005770668.tif 000006
【図６】
0005770668.tif 000007
【図７】
0005770668.tif 000008
【図８】
0005770668.tif 000009
【図９】
0005770668.tif 000010
【図１０】
0005770668.tif 000011
【図１１】
0005770668.tif 000012
【図１２】
0005770668.tif 000013
【図１３】
0005770668.tif 000014
【図１４】
0005770668.tif 000015
【図１５】
0005770668.tif 000016
【図１６】
0005770668.tif 000017
【図１７】
0005770668.tif 000018